(57)【要約】  【課題】  光増幅器の消費電力を低減する。  【解決手段】  光増幅器は、入力された信号光を増幅する増幅部と、増幅部を加熱又は冷却する加熱冷却部と増幅部の温度を出力する温度検出部と、信号光に波長多重されている波長の情報である波長情報を出力する波長情報検出部と、増幅部の温度と波長特性との関係を記憶する温度特性格納部と、波長情報及び温度特性格納部に記憶された情報に基づいて、増幅部が所定の利得特性となる目標温度を出力する温度算出部と、温度検出部の出力が示す温度及び目標値に基づいて加熱冷却部を制御する制御部と、を備える。【選択図】      図１
2013026295.tif 000002
【特許請求の範囲】
【請求項１】
入力された信号光を増幅する増幅部と、
前記増幅部を加熱又は冷却する加熱冷却部と
前記増幅部の温度を出力する温度検出部と、
前記信号光の波長の情報である波長情報を出力する波長情報検出部と、
前記増幅部の温度と波長特性との関係を記憶する温度特性格納部と、
前記波長情報及び前記温度特性格納部に記憶された情報に基づいて、前記増幅部が所定の利得特性となる温度の目標値を出力する温度算出部と、
前記温度検出部の出力が示す温度及び前記目標値に基づいて、前記加熱冷却部を制御する制御部と、
を備えた光増幅器。
【請求項２】
前記波長情報検出部は、前記信号光の一部を分岐する分岐部を備え、分岐された前記信号光に含まれる伝送路監視信号に基づいて前記波長情報を出力する、請求項１に記載された光増幅器。
【請求項３】
前記波長情報検出部は、前記信号光に波長多重された光の波長毎の強度を検出して前記波長情報を出力する、請求項１に記載された光増幅器。
【請求項４】
前記波長情報検出部は、前記分岐部で分岐された前記信号光を波長毎に分波して出力する分波部と、前記分波部から出力された光を電気信号に変換する受光部と、をさらに備える、請求項３に記載された光増幅器。
【請求項５】
前記分波部は、アレイ導波路グレーティング（ａｒｒａｙｅｄ  ｗａｖｅｇｕｉｄｅ  ｇｒａｔｉｎｇ、ＡＷＧ）で構成される、請求項４に記載された光増幅器。
【請求項６】
前記波長情報検出部は、前記分岐部で分岐された前記信号光を透過させる波長を制御可能な波長可変フィルタ部と、前記波長可変フィルタ部から出力された前記信号光を電気信号に変換する受光部と、を備える請求項３に記載された光増幅器。
【請求項７】
前記分岐部は前記増幅部の入力側に配置されている、請求項２乃至６のいずれかに記載された光増幅器。
【請求項８】
前記分岐部は前記増幅部の出力側に配置されている、請求項２乃至６のいずれかに記載された光増幅器。
【請求項９】
前記増幅部、前記加熱冷却部、前記温度検出部、前記温度特性格納部、及び前記温度制御部を備える光増幅部と、
前記波長情報検出部を備え、前記光増幅部に前記波長情報を出力する波長監視部と、
を備える請求項１乃至８のいずれかに記載された光増幅器。
【請求項１０】
入力された信号光を増幅部で増幅し、
前記増幅部の温度を出力し、
前記信号光の波長の情報である波長情報を出力し、
前記増幅部の温度と前記増幅部の波長特性との関係を記憶し、
前記波長情報及び前記増幅部の温度と前記増幅部の波長特性との関係に基づいて、前記増幅部が所定の利得特性となる温度の目標値を出力し、
前記増幅部の温度及び前記目標値に基づいて前記増幅部を加熱又は冷却する、
光増幅器の制御方法。
【発明の詳細な説明】
【技術分野】
【０００１】
本発明は、光増幅器及び光増幅器の制御方法に関し、特に、波長多重光伝送システムで用いられる光増幅器及び光増幅器の制御方法に関する。
【背景技術】
【０００２】
波長多重光伝送システムで用いられる光増幅器には、波長毎の増幅特性のばらつきがシステムで許容される範囲に収まることが要求される。具体的には、光増幅器には利得の波長依存性が小さいこと、すなわち利得平坦度が良好であることが要求される。
【０００３】
光増幅器として広く用いられている光ファイバ増幅器では、増幅媒体である希土類添加ファイバの利得の波長特性は平坦でない。このため、希土類添加ファイバの波長特性を相殺する特性を持つフィルタを伝送路内に挿入して、広い帯域で平坦な利得特性を得るように構成された光増幅器が用いられている。
【０００４】
しかしながら、光ファイバ増幅器では、増幅媒体である希土類添加ファイバの温度特性により、温度に依存して利得の波長特性が変化する。このため、増幅媒体の温度特性の影響を低減し、光増幅器を透過する光信号の帯域全体の利得が平坦となるように、光増幅器の増幅媒体の温度制御を行う必要がある。
【０００５】
また、光伝送システムにおける光レベル制御に関連する技術を記載した文献として、以下の特許文献１〜６がある。
【０００６】
特許文献１は、波長多重伝送システムにおいて、波長毎の光レベルを検出し、光レベルが所定の値になるように光減衰手段を制御する構成を記載している。
【０００７】
特許文献２は、波長多重伝送システムにおいて、光増幅器の出力信号が所望のパワー及びスペクトルとなるように励起光源と光減衰器を制御する構成を記載している。
【０００８】
特許文献３は、光伝送システムにおいて、光増幅器への入力信号の波長数を求め、求めた波長数に基づいて光増幅器の利得を制御する構成を記載している。
【０００９】
特許文献４は、光増幅器に入力される光の波長数及び受光レベルを検出し、光増幅器の出力における光ＳＮ比が基準範囲を逸脱するとアラームを出力する光増幅装置を記載している。
【００１０】
特許文献５は、波長光源の波長制御電流、及び電界吸収型変調器のバイアスあるいは温度の設定値を波長情報に応じて調節する光送信装置を記載している。
【００１１】
特許文献６は、複数の励起光源素子を備える光増幅器において、劣化が発生した励起光源素子の駆動電流あるいは温度を制御して、当該励起光源素子の劣化の進行を抑制する構成を記載している。
【先行技術文献】
【特許文献】
【００１２】
【特許文献１】特開２００６−１０１４７０号公報
【特許文献２】特開２００６−２８６９１８号公報
【特許文献３】特開２００６−２９５１１３号公報
【特許文献４】特開２００７−２５８９２９号公報
【特許文献５】特開２００９−０８１５１２号公報
【特許文献６】特開２０１０−１８３１０４号公報
【発明の概要】
【発明が解決しようとする課題】
【００１３】
波長多重光伝送システムで用いられる光増幅器では、光増幅器を通過する可能性がある全ての波長の信号光を増幅できるように、光増幅器の全帯域の利得が平坦となるように増幅媒体の温度制御を行なっている。
【００１４】
しかしながら、波長多重光伝送システムにおいて運用中の波長数が少なく、光増幅器の増幅帯域の一部のみが使用される場合がある。このような場合に光増幅器の全帯域の利得が平坦となるように増幅媒体の温度制御を行うと、光増幅器の消費電力が必要以上に大きくなる恐れがある。すなわち、増幅媒体の温度制御を行う光増幅器には、入力される波長数にかかわらず光増幅器の全帯域の利得が平坦となるような温度制御を行うことで、消費電力が大きくなる場合があるという課題があった。
【００１５】
先に説明した特許文献１〜６は、波長多重光伝送システムにおける光レベル調整に関する技術、あるいは光増幅器における励起光源の温度制御に関する技術を記載している。しかし、特許文献１〜６は、光増幅器の増幅媒体の温度制御における消費電力の低減に関する技術を記載していない。
【００１６】
［発明の目的］
本発明の目的は、光増幅器の消費電力を低減するという課題を解決するための技術を提供することにある。
【課題を解決するための手段】
【００１７】
本発明の光増幅器は、入力された信号光を増幅する増幅部と、増幅部を加熱又は冷却する加熱冷却部と増幅部の温度を出力する温度検出部と、信号光に波長多重されている波長の情報である波長情報を出力する波長情報検出部と、増幅部の温度と波長特性との関係を記憶する温度特性格納部と、波長情報及び温度特性格納部に記憶された情報に基づいて、増幅部が所定の利得特性となる目標温度を出力する温度算出部と、温度検出部の出力が示す温度及び目標値に基づいて加熱冷却部を制御する制御部と、を備える。
【００１８】
本発明の光増幅器の制御方法は、入力された信号光を増幅部で増幅し、増幅部の温度を出力し、信号光に波長多重されている波長の情報である波長情報を出力し、増幅部の温度と増幅部の波長特性との関係を記憶し、波長情報及び増幅部の温度と増幅部の波長特性との関係に基づいて増幅部が所定の利得特性となる目標温度を出力し、増幅部の温度及び目標値に基づいて増幅部を加熱又は冷却する。
【発明の効果】
【００１９】
本発明は、光増幅器の消費電力を低減するという効果を奏する。
【図面の簡単な説明】
【００２０】
【図１】本発明の第１の実施形態の光増幅器の構成を示す図である。
【図２】本発明の第２の実施形態の光増幅器の構成を示す図である。
【図３】本発明の第３の実施形態として、監視モジュールの具体的な構成を示す図である。
【図４】本発明の第４の実施形態として、監視モジュールの他の構成を示す図である。
【図５】本発明の第５の実施形態の光増幅器の構成を示す図である。
【図６】本発明の第６の実施形態の光増幅器の構成を示す図である。
【図７】増幅媒体の温度と利得特性の関係の一例をグラフとして示した図である。
【発明を実施するための形態】
【００２１】
（第１の実施形態）
本発明の第１の実施形態の光増幅器の構成を図１に示す。光増幅器１００は、入力部１０１、出力部１０５、合波器１０２、励起光源１０３及び増幅媒体１０４を備える。また、光増幅器１００は、さらに分波器１０６、ＳＶ部１０７、温度検出部１０８、制御部１０９、加熱冷却部１１０、温度算出部２０１、温度特性格納部２０２を備える。
【００２２】
光増幅器１００は、入力部１０１から入力された光を、増幅媒体１０４で増幅して出力部１０５から出力する。光増幅器１００は、典型的には増幅媒体１０４としてエルビウム添加ファイバ（Ｅｒｂｉｕｍ  ｄｏｐｅｄ  ｆｉｂｅｒ、ＥＤＦ）を用いたエルビウム添加ファイバ増幅器（ＥＤＦ  ａｍｐｌｉｆｉｅｒ、ＥＤＦＡ）である。
【００２３】
励起光源１０３は、例えば半導体レーザダイオードであり、増幅媒体１０４を励起するための励起光を発生する。
【００２４】
入力部１０１から入力された、波長多重された信号光（波長多重光）と励起光源１０３が発生した励起光とは、合波器１０２で合波されて増幅媒体１０４に入力される。増幅媒体１０４へ注入される励起光のパワーは、入力部１０１から入力された波長多重光が出力部１０５にて所定の出力パワーとなるように制御されてもよい。なお、光増幅器１００はＥＤＦＡには限定されず、ツリウム等の他の希土類元素を添加した光ファイバを用いた光増幅器あるいはラマン光増幅器等でもよい。
【００２５】
分波器１０６は、入力部１０１へ入力された信号光からＳＶ（ｓｕｐｅｒｖｉｓｏｒｙ、伝送監視制御）光を分岐してＳＶ部１０７に入力する。ＳＶ部１０７は、受信したＳＶ光から監視制御情報を抽出する。監視制御情報は伝送路の上流にある装置が生成する情報であり、運用されている信号光の波長の情報を含んでいる。
【００２６】
先に述べたように、光増幅器１００を波長多重光伝送システムで用いるためには、使用される波長帯域に渡って利得が平坦であることが望ましい。しかし、増幅媒体１０４は、温度に依存して利得の波長特性が変化する。この光増幅器１００から出力される信号光の強度が温度特性の影響を受けないようにするために、加熱冷却部１１０は、制御部１０９の制御により増幅媒体１０４の温度を制御する。
【００２７】
温度特性格納部２０２は、増幅媒体１０４の温度と利得特性の関係式またはその関係を示すテーブルを格納する。温度算出部２０１は、ＳＶ部１０７が抽出した監視制御情報及び温度特性格納部２０２が格納する増幅媒体１０４の温度と利得特性の関係に基づいて増幅媒体１０４の温度制御の目標値を決定して制御部１０９に出力する。
【００２８】
加熱冷却部１１０は制御部１０９の制御により増幅媒体１０４を加熱または冷却する。温度検出部１０８は増幅媒体１０４の温度を検出する温度センサであり、増幅媒体１０４の温度を制御部１０９に出力する。加熱冷却部１１０は、例えばペルチェ素子である。増幅媒体１０４に対して加熱のみを行う場合は、加熱冷却部１１０としてヒータを用いてもよい。
【００２９】
制御部１０９は、温度算出部２０１から入力された増幅媒体１０４の温度の目標値及び温度検出部１０８から入力された増幅媒体の温度に基づいて、加熱冷却部１１０を制御する。例えば、制御部１０９は、温度検出部１０８から入力された増幅媒体の温度が目標温度に一致するように加熱冷却部１０９を制御する。
【００３０】
図７は、温度特性格納部２０２が格納している増幅媒体１０４の温度と利得特性の関係の一例をグラフとして示したものである。図７は、増幅媒体１０４の利得の波長特性の温度特性を、常温（例えば２５℃）に対する変化として示している。図7では、高温時（例えば＋６５℃）の特性及び低温時（例えば−２０℃）の特性を示す。これら以外の温度における特性は、実測によりデータとして温度特性格納部２０２が保持していても良いし、補間により必要な都度求めても良い。図7の増幅媒体１０４の温度特性は一例を模式的に示したものであり、温度特性は増幅媒体１０４の成分や長さ、あるいは励起条件によっても変化する。
【００３１】
図７は、光増幅器１００の波長特性が常温ではほぼ平坦となるように調整されていても、温度が上昇すると帯域の中央部で増幅媒体１０４の利得が上昇し、温度が低下すると帯域の中央部で増幅媒体１０４の利得が低下することを示す。
【００３２】
運用中の波長が光増幅器１００の帯域の広い範囲（例を図中矢印Ａで示す）に渡っている場合には、帯域の両端部と中央部との間の利得差が大きい。従って、増幅媒体１０４の利得の波長特性の影響を低減するためには、増幅媒体１０４の温度を常温近くになるように制御する必要がある。
【００３３】
しかしながら、運用中の波長が例えば図７で示す帯域の中央付近（例を図中矢印Ｂで示す）のみである場合には、増幅媒体１０４の温度が常温から離れていてもその帯域内では波長間の利得差は小さい。従って、この場合には増幅媒体１０４の波長特性の影響を低減するために、増幅媒体１０４の温度の目標値を常温近くに設定する必要はない。すなわち、制御部１０９は、運用中の信号光の波長間の利得差が比較的小さい場合には、増幅媒体１０４の目標温度を常温よりも現在の温度に近い温度に設定しても、運用中の信号光の間の利得差をシステムで要求される値の範囲内に収めることができる。
【００３４】
以上説明したように、第１の実施形態において、運用中の波長数が少なく、信号光の帯域が光増幅器１００の一部の帯域に制限される場合は、増幅媒体１０４の目標温度を常温よりも現在の温度に近い温度に設定できる。なぜならば、光増幅器１００においては、使用している波長の信号光に対して光増幅器１００の利得が平坦であればよいからである。従って、第１の実施形態の光増幅器では、運用中の信号光の波長情報に応じて増幅媒体の目標温度を設定することにより、温度制御後の増幅媒体に求められる波長特性の平坦度に対する要求が緩和される。
【００３５】
すなわち、第１の実施形態の光増幅器は、光増幅器の消費電力を抑えることが可能であるという効果を奏する。
【００３６】
なお、図１では分波器１０６は入力部１０１と合波器１０２との間にあるとした。しかし、分波器１０６は、ＳＶ部１０７でＳＶ光が検出可能であれば、入力部１０１と出力部１０５との間の任意の位置に配置することができる。
（第２の実施形態）
第１の実施形態では、運用中の信号光の波長情報の入手方法として、ＳＶ光に含まれる運用中の信号光の波長情報を温度算出部２０１に通知する構成について説明した。
以下の第２〜第５の実施形態では、光増幅器の内部において運用中の信号光の波長の情報を監視し、その情報を、温度算出部２０１に通知する構成について説明する。
【００３７】
図２は、本発明の第２の実施形態の光増幅器の構成を示す図である。図２において、図１と同一の構成要素には同一の参照符号を付して、説明は省略する。
【００３８】
図２に示す光増幅器２００は、図１に示した光増幅器１００と比較して、分波器１０６及びＳＶ部１０７が省かれている。一方、光増幅器２００は、分岐器１１１、監視モジュール（ＯＣＭ：Ｏｐｔｉｃａｌ  Ｃｈａｎｎｅｌ  Ｍｏｎｉｔｏｒ）３０１を備えている。
【００３９】
分岐器１１１は、増幅媒体１０４で増幅された波長多重信号光の一部を分岐する。監視モジュール３０１は、分岐器１１１で分岐された波長多重信号光を受光し、運用されている波長の情報を、温度算出部２０１に通知する。監視モジュール３０１の具体的な構成に関しては、第３及び第４の実施形態で説明する。
【００４０】
温度算出部２０１は、監視モジュール３０１から通知された運用中の信号光の波長の情報と、温度特性格納部２０２が記憶している増幅媒体１０４の温度と利得との関係式または関係テーブルから、増幅媒体１０４の温度の目標値を算出する。目標値は、第１の実施形態の図７で説明したように、運用中の波長の信号光に対して増幅媒体１０４の利得の差がシステム上許容される範囲内にあるように設定される。
【００４１】
このように、光増幅器２００においても、運用中の信号光の波長に基づいて増幅媒体１０４の温度の目標値が算出される。従って、光増幅器２００においては、第１の実施形態の光増幅器１００と同様に、運用中の信号光の波長情報に応じて波長特性の平坦度への要求が緩和される。その結果、第２の実施形態の光増幅器も、光増幅器の消費電力を抑えることが可能となるという効果を奏する。
【００４２】
さらに、光増幅器２００は、監視モジュール３０１を使用することで、ＳＶ光を用いることなく運用中の信号光の波長の情報を入手することが可能である。従って、第２の実施形態の光増幅器２００は、光増幅器２００の上流側の装置にＳＶ光を重畳する機能が不要になるので、波長多重光伝送システムを構成する装置の小型化及び低価格化が可能となるという効果も奏する。
【００４３】
なお、図２では分岐器１１１が増幅媒体１０４と出力部１０５との間にあるとしたが、分岐器１１１は、入力部１０１と出力部１０５との間の任意の位置に配置することができる。
【００４４】
（第３の実施形態）
図３に、本発明の第３の実施形態として、監視モジュールの具体的な構成を示す。図３に示す監視モジュール４００は、図２で説明した光増幅器２００が備える監視モジュール３０１の構成の一例である。図３において、監視モジュール４００は、ＡＷＧ（ａｒｒａｙｅｄ  ｗａｖｅｇｕｉｄｅ  ｇｒａｔｉｎｇ）４０１と、フォトダイオード４０２と、Ｉ／Ｖ変換器４０３と、波長監視部４０４を備える。ＡＷＧ４０１は、分岐器１１１から入力された波長多重信号光を波長毎に分波して、それぞれの波長に対応して備えられたフォトダイオード４０２に出力する。それぞれのフォトダイオード４０２は、入力された光を光電流に変換してＩ／Ｖ変換部４０３に出力する。Ｉ／Ｖ変換部４０３はフォトダイオード４０２毎に備えられ、フォトダイオード４０２から入力された光電流を電圧に変換して波長監視部４０４に出力する。
【００４５】
波長監視部４０４は、Ｉ／Ｖ変換部４０３から出力される波長毎の電圧値から各波長毎に信号光の有無を判定し、波長毎の信号光の有無を示す波長情報を温度算出部２０１に通知する。ここで、波長監視部４０４は、あるＩ／Ｖ変換部４０３から出力される波長毎の電圧値が所定の値以上であれば、そのＩ／Ｖ変換器４０３の上流に接続されているＡＷＧ４０１の出力波長の信号が存在する（すなわちシステムで運用中である）と判断してもよい。
【００４６】
このような構成を備える監視モジュール４００を使用することで、光増幅器２００は、ＳＶ光を用いることなく運用中の波長情報を入手することが可能である。従って、監視モジュール４００を使用する光増幅器２００は、第２の実施形態と同様に、光増幅器の消費電力を抑えることを可能とするとともに、波長多重光伝送システムを構成する装置の小型化及び低価格化を可能とするという効果を奏する。
【００４７】
（第４の実施形態）
図４に、本発明の第４の実施形態として、監視モジュールの他の構成を示す。図４に示す監視モジュール４２０は、光波長可変バンドパスフィルタ４１０、フォトダイオード４０２、Ｉ／Ｖ変換器４０３及び波長監視部４１４を備える。フォトダイオード４０２及びＩ／Ｖ変換器４０３の機能は第３の実施形態において説明したものと同様である。波長監視部４１４は、Ｉ／Ｖ変換部４０３から出力される波長毎の電圧値から各波長に信号光の有無を判定し、波長毎の信号光の有無を示す波長情報を温度算出部２０１に通知する。さらに、波長監視部４１４は、光波長可変バンドパスフィルタ４１０の透過波長を制御する機能を備える。
【００４８】
図４に示す監視モジュール４２０は、図３で説明した監視モジュール４００と比較して、ＡＷＧ４０１に代えて光波長可変バンドパスフィルタ４１０を備えている。また、監視モジュール４２０においては、フォトダイオード４０２及びＩ／Ｖ変換器４０３は、少なくとも１個ずつあればよい。光波長可変バンドパスフィルタ４１０は、波長多重光伝送システムで用いられる信号光のうち、外部から指示された波長の信号光のみを透過する。
【００４９】
監視モジュール４２０は、光波長可変バンドパスフィルタ４１０を透過させる光の波長を波長監視部４１４からの指示で切り替える。フォトダイオード４０２は、光波長可変バンドパスフィルタ４１０が透過する波長の信号光が存在する場合にのみ光電流を生成してＩ／Ｖ変換器４０３に出力する。波長監視部４１４は、光波長可変バンドパスフィルタ４１０が透過する波長を変化させながら、波長毎にＩ／Ｖ変換器４０３からの出力電圧を監視する。そして、波長監視部４１４は、設定した波長毎のＩ／Ｖ変換器４０３からの出力電圧に基づいて、監視モジュールに入力される光の波長を検出する。
【００５０】
ここで、波長監視部４１４は、Ｉ／Ｖ変換部４０３から出力される波長毎の電圧値が所定の値以上であれば、その時点で光波長可変バンドパスフィルタ４１０が透過する波長の信号が存在する（すなわちシステムで運用中である）と判断してもよい。光波長可変バンドパスフィルタ４１０を透過させる光の波長を波長多重光伝送システムの帯域全体に渡って変化させることで、波長監視部４１４は運用中の信号光の波長の情報を得ることができる。
【００５１】
このように、このような構成を備える監視モジュール４２０を使用することによっても、光増幅器２００はＳＶ光を用いることなく運用中の波長情報を入手することが可能である。従って、第４の実施形態で説明した監視モジュールを使用することによっても、光増幅器２００は、光増幅器の消費電力を抑えることを可能とするとともに、波長多重光伝送システムを構成する装置の小型化及び低価格化を可能とするという効果を奏する。
【００５２】
（第５の実施形態）
図５は、本発明の第５の実施形態の光増幅器の構成を示す図である。図５に示す光増幅器５００は、光増幅部５０１と、波長監視部５０２とを備える。光増幅部５０１と波長監視部５０２とは独立したユニットとして構成され、波長監視部５０２でモニタした運用中の波長情報はユニット間通信により波長監視部５０２から光増幅ユニット５０１に通知される。
【００５３】
光増幅部５０１は、図２で説明した合波器１０２、励起光源１０３及び増幅媒体１０４を備える。また、光増幅部５０１は、さらに、温度検出部１０８、制御部１０９、加熱冷却部１１０、温度算出部２０１、温度特性格納部２０２を備える。
【００５４】
波長監視部５０２は、分岐器１１１、監視モジュール３０１を備えている。監視モジュール３０１は、分岐器１１１で分岐された波長多重信号光を受光し、運用されている波長の情報を、ユニット間通信により光増幅部５０１の温度算出部２０１に通知する。監視モジュール３０１として、第３及び第４の実施形態で説明した構成の監視モジュールを使用してもよい。
【００５５】
第５の実施形態では光増幅部５０１と波長監視部５０２とが異なるユニットとして構成される。このため、故障や機能改善により光増幅器５００の一部を交換する必要がある場合には該当するユニットのみを交換すればよい。その結果、第５の実施形態の光増幅器５００は、光増幅器の消費電力を抑え、さらに光伝送システムを構成する装置の小型化及び低価格化を可能とするという効果に加えて、保守や機能改善に要する費用を削減できるという効果をも奏する。
【００５６】
なお、第１の実施形態では、運用されている信号光の波長の情報は受信したＳＶ光から取得される構成を説明した。また、第２〜第５の実施形態では、運用されている信号光の波長の情報は信号光を検波した結果に基づいて取得される構成を説明した。しかし、光増幅器は、運用されている信号光の波長の情報をＳＶ光又は信号光を用いることなく取得してもよい。例えば、光増幅器は運用されている信号光の波長の情報をあらかじめ記憶している記憶部を備え、記憶部は必要に応じてその情報を温度算出部２０１に出力するようにしてもよい。
【００５７】
（第６の実施形態）
図６は、本発明の第６の実施形態の光増幅器の構成を示す図である。図６に示す光増幅器６００は、増幅部６０１と、加熱冷却部６０２と、温度検出部６０３と、を備える。そして、光増幅器６００は、さらに波長情報出力部６０４と、温度特性格納部６０５と、温度算出部６０６と、制御部６０７と、を備える。
【００５８】
図６において、増幅部６０１は入力された信号光を増幅する。加熱冷却部６０２は増幅部６０１を加熱又は冷却し、温度検出部６０３は増幅部の温度を出力する。波長情報出力部６０４は信号光の波長の情報である波長情報を出力する。
【００５９】
温度特性格納部６０５は、増幅部６０１の温度と波長特性との関係を記憶する。温度算出部６０６は、波長情報出力部６０４が出力する波長情報、及び、温度特性格納部６０５に記憶された情報に基づいて、増幅部６０１が所定の利得特性となる温度の目標値を制御部６０７に出力する。制御部６０７は、温度算出部６０６が出力する目標値及び温度検出部６０３の出力が示す温度に基づいて、加熱冷却部６０２を制御する。
【００６０】
このような構成を備える光増幅器６００は、波長情報出力部６０４が出力する波長情報、及び、温度特性格納部６０５に記憶された情報に基づいて、増幅部６０１が所定の利得特性を備えるようにその温度が制御される。すなわち、増幅部６０１の温度は、信号光に波長多重されている波長の情報に基づいて所定の利得特性となるように制御される。従って、増幅部６０１の温度制御は運用されている波長に対してのみ行われるので、第６の実施形態の光増幅器も、光増幅器の消費電力を抑えることが可能であるという効果を奏する。
【００６１】
以上、第１から第６の実施形態を参照して本願発明を説明した。しかし、本願発明が適用可能な形態は上述した実施形態に限定されるものではない。本願発明の構成や詳細説明には、本願発明のスコープ内で当業者が理解し得る様々な変更をすることができる。
【符号の説明】
【００６２】
１００、２００、５００、６００  光増幅器
１０１  入力部
１０２  合波器
１０３  励起光源
１０４  増幅媒体
１０５  出力部
１０６  分波器
１０７  ＳＶ部
１０８、６０３  温度検出部
１０９、６０７  制御部
１１０、６０２  加熱冷却部
１１１  分岐器
２０１、６０６  温度算出部
２０２、６０５  温度特性格納部
３０１、４００、４２０  監視モジュール
４０１  ＡＷＧ
４０２  フォトダイオード
４０３  Ｉ／Ｖ変換部
４０４、４１４  波長監視部
５０１  光増幅部
５０２  波長監視部
６０１  増幅部
６０４  波長情報出力部
【図１】
2013026295.tif 000003
【図２】
2013026295.tif 000004
【図３】
2013026295.tif 000005
【図４】
2013026295.tif 000006
【図５】
2013026295.tif 000007
【図６】
2013026295.tif 000008
【図７】
2013026295.tif 000009